(57)【要約】【課題】小動物の移動や食餌行為を阻害して餓死させたり、あるいは強いストレス状態に陥らせることでショック死させるなどによって小動物を駆除する小動物駆除具を提供する。【解決手段】小動物駆除具は、小動物の手足を突き刺す鋭利な突刺片１（６，７）と、小動物の手足に粘り着く粘着剤２と、突刺片１（６，７）および粘着剤２の双方を片側表面に保持する可撓性の保持部材３と、この保持部材３が載置されるベース４とを備え、ベース４には、保持部材３の裏面側に位置する箇所に小動物の手足が落ち込む程度の大きさの凹部４ｃが形成されている。【選択図】図１
2006345853.tif 000002
【特許請求の範囲】
【請求項１】
小動物の手足を突き刺す鋭利な突刺片と、小動物の手足に粘り着く粘着剤と、前記突刺片および粘着剤の双方を片側表面に保持する可撓性の保持部材と、この保持部材が載置されるベースとを備え、前記ベースには、前記保持部材の裏面側に位置する箇所に小動物の手足が落ち込む空間が形成されていることを特徴とする小動物駆除具。
【請求項２】
上記空間は、小動物の手足が落ち込む程度の大きさの凹部である請求項１記載の小動物駆除具。
【請求項３】
前記突刺片は、前記粘着剤に混入された突起粒子、およびこの突起粒子よりも大きくて鋭利な突刺針からなることを特徴とする請求項１または２記載の小動物駆除具。
【請求項４】
前記ベースの空間内の底面には、小動物の手足が物体を掴むのに適合した大きさに設定された掴ませ部材が固定されていることを特徴とする請求項１または請求項２に記載の小動物駆除具。
【請求項５】
上記保持部材には、小動物の手足の指が入る程度の大きさの貫通穴が多数形成されている請求項１〜３のいずれか一項に記載の小動物駆除具。
【発明の詳細な説明】
【技術分野】
【０００１】
本発明は、ネズミ等の小動物を駆除するために使用される小動物駆除具に関する。
【背景技術】
【０００２】
従来より、ネズミ等の小動物を駆除するために、紙やプラスチック等でできた基板の表面に粘着剤を塗布した構成の小動物駆除具が提供されている（例えば、下記の特許文献１参照）。
【０００３】
すなわち、従来構成の小動物駆除具は、小動物が出没しそうな場所に粘着剤を上向きにした状態で配置し、小動物の前肢あるいは後肢（以下、単に手足という）が不意にこの粘着剤に触ると、これが手足に絡み付いて身動きできないようにして捕獲し、最終的には食餌行為を阻害して餓死させるようにしている。
【０００４】
【特許文献１】特開平１１−２６２３５２号公報
【発明の開示】
【発明が解決しようとする課題】
【０００５】
上述のように、従来の小動物駆除具は、小動物の手足の動きを粘着剤によって拘束して捕獲する粘着捕獲を主眼にしているので、小動物の四肢ができるだけ粘着剤の上に乗るように、粘着剤の塗布面は小動物の身体よりも十分大きな面積を確保するようにしている。このため、粘着剤が塗布される基板も必然的に大きなものとなり、小動物駆除具の全体形状が大きなものとなっている。
【０００６】
ところで、ネズミなどの小動物は、巣と食餌場所との間を行き来する場合、学習によって最も安全と思われる所を通路としており、このような通路は、床や壁面、天井裏の隙間や、配管の上であったりすることが多い。したがって、このような小動物を有効に駆除するためには、小動物が出没する通路上に小動物駆除具を設置することになる。
【０００７】
しかし、小動物が行き来する通路は、上記のように狭隘な場所や必ずしも平坦でない場所であることが多く、このような場所では、従来のような大きな形状の小動物駆除具を設置することが難しい。また、小動物が暴れることによって粘着を容易に引き剥がして逃げてしまうことも多く、捕獲を主眼とする場合には、その駆除効果が未だ不十分である。
【０００８】
本発明は、上記の課題を解決するためになされたもので、捕獲を主眼とするのではなく、小動物の移動や食餌行為を阻害して餓死させたり、あるいは強いストレス状態に陥らせることでショック死させることによって小動物を駆除する小動物駆除具を提供することを目的とする。
【課題を解決するための手段】
【０００９】
上記の目的を達成するため、本発明の小動物駆除具は、小動物の手足を突き刺す鋭利な突刺片と、小動物の手足に粘り着く粘着剤と、前記突刺片および粘着剤の双方を片側表面に保持する可撓性の保持部材と、この保持部材が載置されるベースとを備え、前記ベースには、前記保持部材の裏面側に位置する箇所に小動物の手足が落ち込む空間が形成されていることを要旨とする。
【発明の効果】
【００１０】
本発明の小動物駆除具によれば、これを小動物の通路に設置しておけば、小動物の手足が突刺片および粘着剤を保持する保持部材の上に乗って体重がかかると、保持部材が容易に変形して空間内に小動物の手足が落ち込むので、粘着剤を付着させた保持部材が小動物の手足に絡み付き、小動物の手足の自由が奪われる。しかも、小動物の手足が空間内に落ち込んだときには、突刺片によって手足が傷付けられるので、小動物の移動や食餌行為が阻害される。その結果、最終的に餓死に至るか、あるいは強いストレス状態に陥ってショック死する。特に、ネズミはこのようなストレスに弱いので有効である。
【００１１】
しかも、この小動物駆除具は、全体の形状が小形であるので、小動物が出没する通路が狭隘な場所であったり、配管の表面のように平坦でない場所であっても容易に取り付け設置することができる。このため、従来に比べて十分な駆除効果が得られる。
【００１２】
さらに、小動物駆除具を所定の場所に設置する際の組み立て手順は極めて簡単であるため、ユーザに余分な負担をかけることもない。また、製品としての部品点数も少ないので、安価に製造することができる。
【００１３】
本発明において、上記空間は、小動物の手足が落ち込む程度の大きさの凹部とすることができる。
【００１４】
本発明において、前記突刺片は、前記粘着剤に混入された突起粒子、およびこの突起粒子よりも大きくて鋭利な突刺針からなる場合には、小動物の手足が凹部に落ち込んだ際に突刺針が突き刺さって手足から抜け出なくなるなどの大きな外傷を負わせことができ、また、突刺針が手足に突き刺さらない場合でも、粘着剤に混入された突起粒子によって小動物の手足を傷付けることができるので、小動物の移動や食餌行為を確実に阻害することができ、小動物の駆除効果が高まる。
【００１５】
本発明において、前記突刺針は、前記落込凹部の略中央位置において前記保持部材を貫通して上方に突出されている場合には、突刺針は保持部材を貫通して上方に突出しているので、突刺針が手足に突き刺さると、小動物が暴れても突刺針が保持部材から簡単に脱落することがない。このため、小動物の移動や食餌行為をさらに確実に阻害することができるとともに、長期使用が可能になる。
【００１６】
本発明において、前記ベースの空間内の底面には小動物の手足が物体を掴むのに適合した大きさに設定された掴ませ部材が固定されている場合には、小動物の手足が空間に不意に落ち込んだ際、物に掴まろうとする動物の習性により、保持部材を介して必然的に掴ませ部材を握りしめることになる。その結果、保持部材に付着させた粘着剤との接触面積が平面の場合よりもさらに大きくなり、保持部材が小動物の手足に絡み付き、小動物が暴れても簡単に脱落しなくなる。このため、小動物の移動や食餌行為をさらに確実に阻害することができる。
【００１７】
本発明において、上記保持部材には、小動物の手足の指が入る程度の大きさの貫通穴が多数形成されている場合には、保持部材が多少厚くても可撓性が増し、保持部材が容易に変形し、粘着剤を付着させた保持部材が小動物の手足に絡み付き、小動物の手足の自由が奪われる。また、小動物の手足の指が貫通穴に入り込むことによって、保持部材が小動物の手足に一層強固に絡み付き、小動物の手足の自由が奪われる。
【発明を実施するための最良の形態】
【００１８】
実施の形態１．
図１は本発明の実施の形態１における小動物駆除具の断面図、図２は同駆除具を構成するベースの平面図、図３は同駆除具を構成する保持部材に突刺片と粘着剤を保持させた状態を示す斜視図である。
【００１９】
この実施の形態１における小動物駆除具は、小動物の手足を突き刺す鋭利な突刺片１と、小動物の手足に粘り着く粘着剤２と、突刺片１および粘着剤２の双方を片側表面に保持する可撓性の保持部材３と、この保持部材３が載置されるベース４とを備えている。
【００２０】
ベース４は、例えば合成樹脂製のもので、平面視で四角形に形成されている。なお、このような合成樹脂製のものに限らず、ある程度の剛性があるものであれば、セラミック材料や金属材料等を使用することも可能である。
【００２１】
そして、このベース４の大きさは、駆除対象となる小動物の身体よりも小さいが、手足よりもやや大きめの寸法に設定されている。例えば、ネズミを駆除対象とする場合には、縦横寸法が約１０〜１５ｍｍ程度に設定されている。
【００２２】
ベース４には、その上部の周辺に沿って保持部材３を載置するための設置段部４ａが形成され、また、上端の対向位置には突起状の係止部４ｂが形成されている。この係止部４ｂは、ベース４を傾斜して配置した場合でも保持部材３がベース４から脱落するのを防止するのに役立つ。
【００２３】
さらに、ベース４の設置段部４ａよりも内側には、平面視で四角形の凹部４ｃが形成されている。したがって、保持部材３を設置段部４ａに載置したときには、凹部４ｃが保持部材３の裏面側に位置している。そして、この凹部４ｃは、小動物の手足が落ち込む程度の大きさに設定されている。例えばネズミを駆除対象とする場合には、凹部４ｃの縦横寸法は約７〜８ｍｍ程度で、深さも同程度の寸法に設定されている。したがって、猫などが不意にこの小動物駆除具の上を歩行した場合でも、その手足が凹部４ｃ内に落ち込むことはなく安全である。
【００２４】
また、ベース４の底面には両面テープ５が貼着されており、これによって小動物捕殺具を小動物の通路となる床面や壁面等の適宜箇所に接着固定できるようになっている。
【００２５】
保持部材３は、本例の場合、紙製のもので、上部が開口した平面視で四角形の箱形に成形されている。そして、この保持部材３の内部に突刺片１および粘着剤２が保持されている。保持部材３の厚みは、突刺片１や粘着剤２を保持した状態では大きく変形せずに元の状態を維持しているが、小動物の体重がかかったときに容易に変形するような肉厚（例えば、０．０５〜０．２ｍｍ程度の厚さ）のものが使用されている。なお、保持部材３として、本例のように紙製のものを使用すれば、ベース４が傾斜して配置された際も粘着剤２が容易に垂れ落ちにくいという利点があるが、このような紙製のものに限らず、合成樹脂製フィルムを使用することも可能である。
【００２６】
突刺片１は、突起粒子６およびこの突起粒子６よりも大きい突刺針７からなる。突起粒子６の材料としては、例えば石英やガラス等を１〜２ｍｍ程度の大きさに破砕して鋭利な状態にしたものが使用されている。また、突刺針７は、本例では複数本の針が上方に突出した形状のものが使用されているが、押しピンのように一つの針が上方に突出した形状のものであってもよい。この突刺針７の材料としては、ある程度の強度があるものであれば金属製のものに限らず、セラミックや合成樹脂などの各種の材料を適用することが可能である。
【００２７】
そして、これらの突起粒子６および突刺針７を予め接着剤などで保持部材３の表面に接着した後に粘着剤２を上からたらし込むことで、突起粒子６が粘着剤２内に混入され、また、突刺針７の先端が粘着剤２よりも上方に突出した状態となっている。
【００２８】
粘着剤２としては、本例ではゴム系粘着剤が使用されているが、これに限らず、例えば合成樹脂系粘着剤、鉱物系粘着剤、ワックス系粘着剤、多糖類系粘着剤などを適宜選定して使用することが可能である。この場合の粘着剤２の粘度は、保持部材３の上に注入することが可能で、かつ、ベース４が傾斜して配置された場合でも容易には垂れ落ちず、しかも、小動物に対しては十分に粘着する程度の粘度となるように設定されている。なお、この粘着剤２には、殺鼠剤のような小動物に対する毒性物質を予め混入あるいは塗布しておくともできる。これにより、粘着剤２をなめたりかじったりする小動物を絶命させたり弱らせたりすることができる。
【００２９】
上記の小動物駆除具を使用する際には、まず、突刺片１と粘着剤２とが保持された保持部材３をベース４の設置段部４ａに載置する。次いで、ベース４の下面に貼着されている両面テープ５の剥離紙（図示せず）を取り除いて粘着面を露出させた後、この小動物駆除具を両面テープ５によって床面や壁面等の小動物の通路に設置固定する。
【００３０】
このように小動物駆除具を設置固定しておけば、小動物が通路を行き交う際に、その手足が突刺片１および粘着剤２を保持する保持部材３の上に乗って体重がかかると、保持部材３が容易に変形して凹部４ｃ内に手足が落ち込む。このとき、粘着剤２を付着させた保持部材３が小動物の手足に絡み付くので、小動物の手足の自由が奪われる。すなわち、手足の裏に塵埃などが付いていて粘着剤２がうまく粘着しない場合であっても、凹部４ｃ内に手足が落ち込むと保持部材３が容易に変形するために、小動物の手足の塵埃の付いていない側部にも粘着剤２が付着された保持部材３が巻き込むかたちとなって絡み付く。
【００３１】
しかも、小動物の手足が凹部４ｃ内に落ち込んだときには、ある程度の勢いがついているので、突刺針７が手足に深く突き刺さる。また、突刺針７が手足に突き刺さらない場合でも、粘着剤２に混入された突起粒子６によって手足を傷付けることができる。このため、小動物は手足の自由が奪われて壁面を駆け上がるなどの移動が困難になったり、食餌行為が阻害されて餓死に至る。また、手足に突刺針７が突き刺さったり、突起粒子６によって傷付けられると、傷の痛みを伴うので強いストレス状態に陥り、特に、ストレスに弱いネズミなどはショック死し、捕殺することができる。
【００３２】
また、小動物の手足に保持部材３が張り付いたり突刺片１が突き刺さった状態になると、壁面を駆け上がることができなくなるので、壁の中や天井裏で死ぬ機会も少なくなり、死骸の処理も容易になる。
【００３３】
しかも、この小動物駆除具は、全体の形状が小形であるので、小動物が出没する通路が狭隘な場所であったり、配管の表面のように平坦でない場所であっても、容易に取り付け設置することができる。このため、従来に比べて十分な駆除効果を得ることができる。また、薬剤によって小動物を殺す方式ではないので、猫などのような駆除対象外の動物に被害を及ぼす危険性も少ない。
【００３４】
さらに、小動物駆除具を所定の場所に設置する際の組み立て手順は極めて簡単であるため、ユーザに負担をかけることもない。また、製品としての部品点数も少ないので、安価に製造することができる。
【００３５】
実施の形態２．
図４はこの実施の形態２における小動物駆除具の断面図であり、図１ないし図３に示した実施の形態１と対応する構成部分には同一の符号を付す。
【００３６】
この実施の形態２の小動物駆除具の特徴は、平面視で四角形をしたベース４上部の各辺に対応して保持部材３を載置するための傾斜面部４ｄが形成され、この傾斜面部４ｄの内側に小動物の手足が落ち込む程度の大きさに設定された凹部４ｃが形成されている。そして、ベース４の傾斜面部４ｄ上に四角形あるいは円形のシート状の保持部材３が載置され、この保持部材３の上に突起粒子６、突刺針７、および粘着剤２が保持されている。
【００３７】
このように、この実施の形態２では、ベース４の傾斜面部４ｄ上にシート状の保持部材３が載置されているので、小動物の手足が保持部材３の上に乗って体重がかかると、実施の形態１の場合よりも一層容易に保持部材３が変形して凹部４ｃ内に小動物の手足が落ち込み、その際、粘着剤２を付着させた保持部材３が手足に巻き込むかたちとなって絡み付き、小動物の移動や食餌行為の自由を奪うことができる。
【００３８】
その他の構成、および作用効果は、実施の形態１の場合と同様であるから、ここでは詳しい説明は省略する。
【００３９】
実施の形態３．
図５はこの実施の形態３における小動物駆除具の断面図であり、図１ないし図３に示した実施の形態１と対応する構成部分には同一の符号を付す。
【００４０】
この実施の形態３の小動物駆除具は、実施の形態２の構成と類似しているが、実施の形態２の場合と異なる点は、突刺針７が押しピンのような一針状のものであって、凹部４ｃの略中央位置において保持部材３を貫通して上方に突出するように設けられていることである。
【００４１】
このように、突刺針７が保持部材３を貫通するように設けた場合には、突刺針７が小動物の手足に突き刺さった際、小動物が暴れても突刺針７が保持部材３から容易に脱落しないので、手足を傷付けることにより小動物の移動や食餌行為をさらに確実に阻害することができるとともに、長期使用が可能になる。
【００４２】
その他の構成、および作用効果は、実施の形態１の場合と同様であるから、ここでは詳しい説明は省略する。
【００４３】
実施の形態４．
図６はこの実施の形態４における小動物駆除具の断面図であり、図１ないし図３に示した実施の形態１と対応する構成部分には同一の符号を付す。
【００４４】
この実施の形態４の小動物駆除具は、ベース４が平面視で四角形に形成された紙製のものであって、その上端の各辺は内側に向けてそれぞれ折り曲げられて傾斜面部４ｄおよび内壁部４ｅが形成されている。そして、内壁部４ｅに囲まれた内側に小動物の手足が落ち込む程度の大きさの凹部４ｃが形成されている。そして、傾斜面部４ｄ上に四角形あるいは円形のシート状の保持部材３が載置され、この保持部材３の上に突起粒子６、突刺針７、および粘着剤２が保持されている。なお、ベース４は紙製のものに限らず、合成樹脂製のものを使用することも可能である。
【００４５】
上記の保持部材３は、本例の場合、例えば、０．０５〜０．２ｍｍ程度の厚さの合成樹脂製フィルムでできている。なお、保持部材３としては、本例のように合成樹脂製フィルムのものに代えて紙製のものを使用することも可能である。
【００４６】
さらに、この実施の形態４の最も大きな特徴は、小動物の手足が物体を掴むのに適合した大きさに設定された球状の掴ませ部材８が、その表面に塗布された粘着剤２によってベース４の凹部４ｃ内の底面に接着固定されていることである。この球状の掴ませ部材８は、例えば合成樹脂製のものであって、中実のものに限らず中空のものであってもよい。
【００４７】
このような粘着剤２を塗布した掴ませ部材８を凹部４ｃ内に設けておけば、保持部材３をベース４の傾斜面部４ｄ上に載置した際に凹部４ｃ内へ落ち込んだり、ベース４を傾斜して配置した場合に保持部材３がベース４から脱落するといった不具合を防止することができる。
【００４８】
しかも、小動物の手足がベース４の凹部４ｃ内にはまり込んだ際には、保持部材３が手足に巻き込むかたちとなって絡み付くだけでなく、咄嗟に物に掴もうとする動物の習性により、保持部材３を介して必然的に掴ませ部材８を握りしめることになる。その際、保持部材３に付着させた粘着剤２と手足との密着面積が平面の場合よりもさらに大きくなって粘着力が増加するので、小動物が暴れても簡単に脱落しなくなる。このため、小動物の移動や食餌行為をさらに確実に阻害することができる。このとき、掴ませ部材８が球状であるため、球状の球面をベース４の凹部４ｃ内の底面に向けて設置することにより、掴まれた掴ませ部材８が凹部４ｃから外れやすいので効果的である。
【００４９】
その他の構成、および作用効果は、実施の形態１の場合と同様であるから、ここでは詳しい説明は省略する。
【００５０】
なお、上記の実施の形態４では、ベース４の凹部４ｃ内の底面に固定されている掴ませ部材８が球状に形成されているが、このような球状のものに限らず、例えば図７に示すように、半球状のものであってもよい。このとき、半球状の球面をベース４の凹部４ｃ内の底面に向けて設置することにより、掴まれた掴ませ部材８が凹部４ｃから外れやすいので効果的である。さらには小動物の手足の握りに適合した大きさであれば特にその形状が限定されるものではない。特に、球状等の上面が凸面形状のものが鼠の手足が掴みやすいので好ましい。
【００５１】
また、上記の実施の形態４において、ベース４の凹部４ｃ内の底面は、シリコーン加工やフッ素樹脂加工などにより粘着材２が容易に剥離できる易剥離面とすることができる。このようにすることにより、保持部材３を介して掴んだ掴ませ部材８がベース４から外れやすくなる。
【００５２】
また、上記の実施の形態１〜４では、保持部材３の片側表面には粘着剤２とともに、突起粒子６と突刺針７の双方を設けているが、粘着剤２と突刺針７のみを設けた構成とすることも可能である。
【００５３】
実施の形態５．
図８は、この実施の形態４における小動物駆除具の断面図であり、図１ないし図３に示した実施の形態１と対応する構成部分には同一の符号を付す。
【００５４】
この例では、ベース部材９は、平板状の基板１１の上面に、台形の設置台部１０が所定間隔で複数設けられて構成されている。上記設置台部１０の上面には、シリコーン加工やフッ素樹脂加工等の易剥離加工が施されて粘着材２が容易に剥がれる易剥離紙１３が、易剥離面を上面に向けた状態で接着されている。
【００５５】
上記各設置台部１の上における上記易剥離紙１３の上面に粘着剤２を介し、突刺片１および粘着剤２が片側表面に保持された保持部材３が載置されている。そして、設置台部１０同士の間が、小動物の手足が落ち込む空間１２に形成されている。
【００５６】
この実施形態５では、ベース部材９がより簡素な構成となってコスト面等において有利である。その他の構成、および作用効果は、実施の形態１の場合と同様であるから、ここでは詳しい説明は省略する。
【００５７】
実施の形態６．
図９は、この実施の形態６における小動物駆除具の断面図であり、図１ないし図３に示した実施の形態１と対応する構成部分には同一の符号を付す。
【００５８】
この例では、ベース部材１６は、平板状の基板１１の上面に、台形の設置台１５が所定間隔で複数設置されて構成されている。基板１１の上面には、シリコーン加工やフッ素樹脂加工等の易剥離加工が施されて粘着材２が容易に剥がれる易剥離紙１３が、易剥離面を上面に向けた状態で接着されている。そして、基板１１の上における上記易剥離紙１３の上面に粘着剤２を介して設置台１５が設置されている。
【００５９】
そして、上記設置台の上面に、粘着剤２を介して突刺片１および粘着剤２が片側表面に保持された保持部材３が載置されている。そして、設置台１５同士の間が、小動物の手足が落ち込む空間１２に形成されている。さらに、上記設置台１５には全表面に粘着剤２が塗布されていて、設置台１５は掴ませ部材も兼ねている。
【００６０】
その他の構成、および作用効果は、実施の形態１および４の場合と同様であるから、ここでは詳しい説明は省略する。
【００６１】
実施の形態７．
図１０は、この実施の形態７における小動物駆除具の断面図であり、上記実施の形態６と対応する構成部分には同一の符号を付す。
【００６２】
この例では、ベース部材１６は、平板状の基板１１の上面に、球形の設置台１５が所定間隔で複数設置されて構成されている。基板１１の上面には、シリコーン加工やフッ素樹脂加工等の易剥離加工が施されて粘着材２が容易に剥がれる易剥離紙１３が、易剥離面を上面に向けた状態で接着されている。そして、基板１１の上における上記易剥離紙１３の上面に粘着剤２を介して設置台１５が設置されている。
【００６３】
そして、上記設置台の上面に、粘着剤２を介して突刺片１および粘着剤２が片側表面に保持された保持部材３が載置されている。そして、設置台１５同士の間が、小動物の手足が落ち込む空間１２に形成されている。さらに、上記設置台１５には全表面に粘着剤２が塗布されていて、設置台１５は掴ませ部材も兼ねている。
【００６４】
そして、上記保持部材３には、小動物の手足の指が入る程度の大きさの貫通穴１７が多数形成されている。このようにすることにより、保持部材３が多少厚くても可撓性が増し、保持部材３が容易に変形し、粘着剤２を付着させた保持部材３が小動物の手足に絡み付き、小動物の手足の自由が奪われる。また、小動物の手足の指が貫通穴１７に入り込むことによって、保持部材３が小動物の手足に一層強固に絡み付き、小動物の手足の自由が奪われる。
【００６５】
実施の形態８．
図１１は、この実施の形態８における小動物駆除具の断面図であり、上記実施の形態５と対応する構成部分には同一の符号を付す。
【００６６】
この例では、ベース部材９は、平板状の基板１１の上面に、台形の設置台部１０が所定間隔で複数設けられて構成されている。上記設置台部１０の上面には、シリコーン加工やフッ素樹脂加工等の易剥離加工が施されて粘着材２が容易に剥がれる易剥離紙１３が、易剥離面を上面に向けた状態で接着されている。
【００６７】
上記各設置台部１の上における上記易剥離紙１３の上面に粘着剤２を介し、突刺片１および粘着剤２が片側表面に保持された保持部材３が載置されている。そして、設置台部１０同士の間が、小動物の手足が落ち込む空間１２に形成されている。
【００６８】
そして、上記保持部材３には、小動物の手足の指が入る程度の大きさの貫通穴１７が多数形成されている。このようにすることにより、保持部材３が多少厚くても可撓性が増し、保持部材３が容易に変形し、粘着剤２を付着させた保持部材３が小動物の手足に絡み付き、小動物の手足の自由が奪われる。また、小動物の手足の指が貫通穴１７に入り込むことによって、保持部材３が小動物の手足に一層強固に絡み付き、小動物の手足の自由が奪われる。
【００６９】
実施の形態９．
図１２は、この実施の形態９における小動物駆除具の断面図であり、上記実施の形態４と対応する構成部分には同一の符号を付す。
【００７０】
この実施の形態９の小動物駆除具は、ベース４が上面解放状の箱体であって、その開口端面に表面にシリコーン加工やフッ素樹脂加工等の易剥離加工が施された易剥離紙１９が接着剤で接着され、この易剥離紙１９上に粘着剤２を介して保持部材３が載置され、この保持部材３の上に突起粒子６、突刺針７、および粘着剤２が保持されている。上記ベース４の内部空間２２が小動物の手足が落ち込む空間になっている。
【００７１】
上記易剥離紙１９は、この例ではベース４と平面視で同じ大きさ形状の四角形に形成され、中央に四角形の開口部２０が形成され、開口部の４角から放射状に４本の切れ込み２１が形成されている。
【００７２】
さらに、この実施の形態９では、小動物の手足がベース４の空間２２内にはまり込んだとき、易剥離紙１９の弾性力で保持部材３が手足に巻き込むかたちとなって絡み付く。その際、保持部材３に付着させた粘着剤２と手足との密着面積が大きくなって粘着力が増加するので、小動物が暴れても簡単に脱落しなくなる。そして、保持部材３は易剥離紙１９から外れるが、小動物の移動や食餌行為をさらに確実に阻害することができる。
【００７３】
その他の構成、および作用効果は、実施の形態１の場合と同様であるから、ここでは詳しい説明は省略する。
【００７４】
また、上記の各実施の形態１〜９の小動物駆除具は、小動物が行き来する通路に設置すれば、設置数が少なくても十分に高い確率で小動物を駆除できる効果があるが、さらに駆除効果を高めるためには、この小動物駆除具の複数個を通路に沿って一列に設置したり、床面や壁面上の広範囲に分散して配置すればよい。また、本発明の小動物駆除具は、上記の実施の形態１〜３で示した形状に限定されるものではなく、その趣旨を逸脱しない範囲内において各種の変形を加えることができる。
【図面の簡単な説明】
【００７５】
【図１】本発明の実施の形態１における小動物駆除具の断面図である。
【図２】同駆除具を構成するベースの平面図である。
【図３】同駆除具を構成する保持部材に突刺片と粘着剤とを保持させた状態を示す斜視図である。
【図４】本発明の実施の形態２における小動物駆除具の断面図である。
【図５】本発明の実施の形態３における小動物駆除具の断面図である。
【図６】本発明の実施の形態４における小動物駆除具の断面図である。
【図７】本発明の実施の形態４の小動物駆除具の変形例を示す断面図である。
【図８】本発明の実施の形態５の小動物駆除具の変形例を示す断面図である。
【図９】本発明の実施の形態６の小動物駆除具の変形例を示す断面図である。
【図１０】本発明の実施の形態７の小動物駆除具の変形例を示す断面図である。
【図１１】本発明の実施の形態８の小動物駆除具の変形例を示す断面図である。
【図１２】本発明の実施の形態９の小動物駆除具の変形例を示す断面図である。
【符号の説明】
【００７６】
１    突刺片
２    粘着剤
３    保持部材
４    ベース
４ａ  設置段部
４ｂ  係止部
４ｃ  凹部
４ｄ  傾斜面部
４ｅ  内壁部
５    両面テープ
６    突起粒子
７    突刺針
８    掴ませ部材
９  ベース部材
１０  設置台部
１１  基板
１２  空間
１３  易剥離紙
１４  基板
１５  設置台
１６  ベース部材
１７  貫通穴
１８  接着剤
１９  易剥離紙
２０  開口部
２１  切れ込み
【図１】
2006345853.tif 000003
【図２】
2006345853.tif 000004
【図３】
2006345853.tif 000005
【図４】
2006345853.tif 000006
【図５】
2006345853.tif 000007
【図６】
2006345853.tif 000008
【図７】
2006345853.tif 000009
【図８】
2006345853.tif 000010
【図９】
2006345853.tif 000011
【図１０】
2006345853.tif 000012
【図１１】
2006345853.tif 000013
【図１２】
2006345853.tif 000014